(57)【特許請求の範囲】
【請求項１】
上面の長手方向に光ファイバを収納する溝部を有する基盤と、その基盤上に開閉自在に枢着された上蓋とからなり、前記基盤の溝部に配置された光ファイバを上蓋で押圧して基盤に保持する光ファイバホルダにおいて、前記基盤に弾性体が設けられ、上蓋に係止する係止部を有する作動腕が前記弾性体に回動可能に取り付けられており、前記作動腕を回動してその係止部を上蓋に係合することにより、上蓋を基盤に押圧固定してなることを特徴とする光ファイバホルダ。
【発明の詳細な説明】
【０００１】
【発明の属する技術分野】
本発明は、光ファイバを接続する作業に使用する光ファイバホルダに関するものである。
【０００２】
【従来の技術】
一般に、光ファイバホルダとして、図３に示すようなものが使用されている。この光ファイバホルダは、基盤１の長手方向に、光ファイバ１０の被覆部１０ａの幅寸法より僅かに大きい幅の溝部１ａを備え、その基盤１に枢軸２ａにより開閉可能に上蓋２が取り付けられており、その上蓋２が開閉する側の基盤１上面に永久磁石７が埋設されているものである。
【０００３】
【発明が解決しようとする課題】
しかしながら、前記の光ファイバホルダでは、永久磁石７の引き付け力で上蓋２を基盤１に引き付けることにより、基盤１の溝部１ａ内に位置する被覆部１０ａを設けた光ファイバ１０を上蓋２の下面で押圧して保持するようにしているため、光ファイバ１０の心数が変わったり、被覆部１０ａの厚さ寸法が変化した場合、その保持力が大幅に低下し、光ファイバ接続作業で被覆部１０ａを引き抜いて除去する際に、光ファイバホルダから光ファイバ１０が抜けてしまう不具合が生じる。
【０００４】
本発明は、以上のような従来の光ファイバホルダの問題点を解決し、光ファイバを安定して保持でき、かつ作業性に優れた光ファイバホルダを提供することを目的とする。
【０００５】
【課題を解決するための手段】
本願発明に係る光ファイバホルダは、上面の長手方向に光ファイバを収納する溝部を有する基盤と、その基盤上に開閉自在に枢着された上蓋とからなり、前記基盤の溝部に配置された光ファイバを上蓋で押圧して基盤に保持する光ファイバホルダにおいて、前記基盤に弾性体が設けられ、上蓋に係止する係止部を有する作動腕が前記弾性体に回動可能に取り付けられており、前記作動腕を回動してその係止部を上蓋に係合することにより、上蓋を基盤に押圧固定してなることを特徴とする。
【０００６】
本発明の光ファイバホルダによれば、基盤に弾性体が設けられ、上蓋に係止する係止部を有する作動腕が前記弾性体に回動可能に取り付けられており、前記作動腕を回動してその係止部を上蓋に係合することにより、上蓋を基盤に押圧固定してなるので、光ファイバ被覆部の厚さ寸法にかかわらず、その弾性体の復元力を作用させて光ファイバを十分な保持力で保持することができる。
【０００７】
【発明の実施の形態】
本願発明に係る光ファイバホルダは、基盤と上蓋と作動腕とからなる。基盤には、その上面のほぼ中央長手方向に一側から他側に亘って溝部が設けられており、その溝部は、被覆部が設けられた光ファイバを収納してその幅方向の位置を規制する幅寸法を有するものである。例えば、基盤の上蓋が開閉する側に、弾性体が設けられている。上蓋は、一辺をヒンジ結合により基盤上に開閉自在に枢着されている。作動腕は、その一端が基盤に設けられた弾性体に回動可能に取り付けられており、その他端には上蓋を係止する係止部を有している。以上のような構成からなる光ファイバホルダでは、その基盤の溝部に配置された光ファイバの上面に上蓋の下面を当接させ、作動腕を回動してその係止部を上蓋に係合して弾性体の復元力により上蓋を基盤に押圧固定することにより光ファイバを十分な保持力で保持できる。
【０００８】
基盤としては、金属製及び樹脂製の材料が使用可能であり、特に、作業台上で安定して載置できるように一定の重さを有し、錆を生じ難いステンレス鋼やアルミ合金などの軽金属合金などが好ましい。基盤の上面のほぼ中央の長手方向に設けられる溝部としては、被覆部を設けた光ファイバを収納してその位置に固定できる幅寸法を有するものであればよい。また、その溝部の深さ寸法は、例えば、光ファイバの被覆部の厚さ寸法よりも浅く、被覆部の上面を十分押圧できる程度に露出する寸法であることが好ましい。
【０００９】
上蓋としては、基盤と同様な材料からなり、その一辺はヒンジ結合、または蝶番等を用いて基盤上面に開閉自在に枢着してあればよい。上蓋の光ファイバの上面に当接する下面には、凹凸の加工面やゴム板などを設けて、光ファイバ被覆部の寸法によらず光ファイバとの摩擦力が大きくなるようにされていることが好ましい。
【００１０】
弾性体としては、ステンレス合金等からなる金属製のバネ鋼、弾性を有する高分子材料、またはそれらを複合した材料などが使用可能である。その形状は、板状の金属バネを加工して作動腕を枢着するヒンジを設けたもの、コイルバネを基盤に枢着したもの、棒状の金属バネでそれ自体が枢軸として使用できるものなど種々の形状のものが使用できる。この弾性体が設けられる基盤の位置としては、光ファイバの着脱作業に支障を来さない位置であればよい。
【００１１】
作動腕としては、金属製または樹脂製の材料からなり、その係止部が上蓋に係合する際に懸かる弾性体の復元力に対して不要な伸び、及び撓み、塑性変形などを起こさない材料が適しており、錆を生じ難いステンレス鋼やアルミ合金などの軽金属合金が好ましい。この作動腕の端部に設けられ上蓋を基盤に係止する係止部としては、耐摩耗性に優れた金属材料または摩擦係数の小さい滑りのよい樹脂材料等からなり、使用の際にスムーズに動作するように、その上蓋との当接部には面取り加工やＲ加工が施されていることが好ましい。この作動腕は、上蓋に係止でき、一方では光ファイバの着脱作業に支障を来さない位置に退避できるよう前記弾性体に回動可能に取り付けられる。
【００１２】
図１は、本発明に係る光ファイバホルダの説明図であって、（Ａ）は斜視図を（Ｂ）は側面図を、（Ｃ）は要部断面図を示しており、これらの図中の１は基盤を、２は上蓋を、３は弾性体を、４は作動腕をそれぞれ示している。尚、図３中の記載と同一部所については同一符号を付して示した。
【００１３】
本発明の光ファイバホルダは、図１（Ａ）に示すように、基盤１は、ステンレス鋼からなり、長さ５０ｍｍ、幅１６ｍｍ、高さ６ｍｍの寸法を有し、基盤１の上面の中央の長手方向には、例えば、幅１．０ｍｍ、厚さ０．３０ｍｍの被覆部１０ａが付いた光ファイバ１０を収納するための幅１．１ｍｍ、深さ０．２０ｍｍの溝部１ａが設けてある。この基盤１の上蓋２の開閉する側に設けられた長溝１ｂ内には、棒状のステンレスバネ鋼からなり枢軸を兼ねた弾性体３が、その両端を基盤１に埋設して固定してある。この弾性体３の太さや弾性係数を変えることにより、上蓋の押圧力を調整できるので、光ファイバ１０を保持する十分な保持力を確保できる。また、基盤１上面の上蓋２で覆われない約２０ｍｍの露出部分１ｃは、光ファイバ１０を溝部１ａに収納する際に、上蓋２閉じて光ファイバ１０を押圧して保持するまでの間、指で光ファイバ１０を押さえて仮保持するために設けてある。
【００１４】
上蓋２は、ステンレス鋼からなり長さが基盤よりも２０ｍｍ程度短く、基盤１の一辺に枢軸２ａでヒンジ結合されて開閉自在に枢着されている。光ファイバ１０の被覆部１０ａの上面に当接する上蓋２の下面には、ゴム板２ｂが固着してあり、その開閉する側には、作動腕４が係合するようにコの字形に切り欠かれた係合部２ｃが設けてある。この係合部２ｃの後述の作動腕４の係止部４ａとの当接面には傾斜部２ｄが設けてある。
【００１５】
作動腕４は、ステンレス鋼からなり、弾性体３のほぼ中央部に回動可能に枢着されている。図１（Ｂ）に示すように、上蓋２に設けた係合部２ｃと係合する作動腕４の係止部４ａには、係合部２ｃの傾斜部２ｄに対応する傾斜部４ｂが設けてある。この作動腕４を弾性体３を中心に回動して係止部４ａの傾斜部４ｂを係合部２ｃの傾斜部２ｄに当接させ、更に回動して弾性体３を撓ませて係止部４ａを係合部２ｃに係合させ、上蓋２を基盤１に押圧固定することにより、光ファイバ１０を十分な押圧力で安定して保持する構成になっている。
【００１６】
上記の光ファイバホルダを使用して光ファイバ１０を保持する場合を説明する。先ず、図１（Ｂ）の破線で示すように、上蓋２を開いて基盤１の上面の溝部１ａを露出させておき、光ファイバ１０を基盤１から所定の長さ、例えば、２０ｍｍだけ突き出す状態で溝部１ａに嵌入する。この光ファイバ１０を溝部１ａに収納する際に、基盤１上面の上蓋２で覆われない約２０ｍｍの露出部分１ｃで、指で光ファイバ１０を押さえて仮保持する。次に、嵌入された光ファイバ１０の溝部１ａ上面から０．１ｍｍだけ上に出ている被覆部１０ａの上面に、上蓋２を閉じて下面のゴム板２ｂを当接させる。次いで、作動腕４を回動させて係止部４ａの傾斜部４ｂを上蓋２の係合部２ｃの傾斜部２ｄに当接させ、弾性体３を曲げ変形させながら更に回動させ係合させて図１（Ｂ）に実線で示す係止した状態にする。この一連の操作により、図１（Ｃ）に示すように、ステンレスバネ鋼からなる弾性体３が破線で示した位置から実線で示した位置まで撓み、その復元力が基盤１に上蓋２を閉じる方向に作用して光ファイバ１０を押圧して保持できる。
【００１７】
図２に、光ファイバ１０を保持した状態の光ファイバホルダを示す。この光ファイバホルダを使用して、通常の光ファイバよりも被覆部１０ａの厚さ寸法が０．１ｍｍ程度小さい４心のテープ状光ファイバ１０を光ファイバホルダから２０ｍｍ突き出して保持し、その被覆部１０ａを２つの刃物状のツールで挟持して引き抜くことにより、１５ｍｍの被覆部１０ａを除去した場合、光ファイバ１０が抜けてしまうような不具合は全く生じなかった。
【００１８】
尚、上記説明の実施例の形態では、基盤の上蓋が開閉する側に、弾性体を設けているが、本発明は、これに限定されるものではなく、基盤の上蓋が枢着されている側に、弾性体を設け、その弾性体に作動腕を回動可能に取り付け、その係止部で上蓋を係止するようにしてもよい。
【００１９】
【発明の効果】
本発明の光ファイバホルダによれば、光ファイバの被覆部の厚さ寸法にかかわらず、安定して光ファイバを保持することができるので、確実な光ファイバ接続作業が可能となる実用上優れた効果を奏するものである。
【図面の簡単な説明】
【図１】本発明の光ファイバホルダの説明図であって、（Ａ）は上蓋を開いた斜視図を（Ｂ）は要部断面図を（Ｃ）は側面図
【図２】光ファイバを保持した本発明の光ファイバホルダの斜視図
【図３】従来の光ファイバホルダの説明図であって、（Ａ）は上蓋を開いた平面図、（Ｂ）は要部断面図
【符号の説明】
１  基盤
１ａ  溝部
２  上蓋
２ａ  枢軸
２ｂ  ゴム板
２ｃ  係合部
３  弾性体
４  作動腕
４ａ  係止部
７  永久磁石
１０  光ファイバ
１０ａ  被覆部
【図１】
0003651634.tif 000002
【図２】
0003651634.tif 000003
【図３】
0003651634.tif 000004